(57)【要約】  搭乗者に有用な経由地を経由して目的地に向かう経路を探索可能な技術を提供することを目的とする。走行支援装置は、地図情報を用いて車両の走行を支援する走行支援装置であって、車両の出発地と、車両の目的地と、予め定められた属性のうち車両の利用者が属する属性とを取得する取得部と、地図情報、出発地、目的地、及び、属性に基づいて、出発地から目的地までの経路であって、属性に予め対応付けられた第１経由地を経由する経路を探索する制御部とを備える。
2018185809.tif 000002
【特許請求の範囲】
【請求項１】
地図情報を用いて車両の走行を支援する走行支援装置であって、
前記車両の出発地と、前記車両の目的地と、予め定められた属性のうち前記車両の利用者が属する属性とを取得する取得部と、
前記地図情報、前記出発地、前記目的地、及び、前記属性に基づいて、前記出発地から前記目的地までの経路であって、前記属性に予め対応付けられた第１経由地を経由する経路を探索する制御部と
を備える、走行支援装置。
【請求項２】
請求項１に記載の走行支援装置であって、
前記取得部は、
それぞれが前記目的地の候補である複数の目的地候補と、前記複数の目的地候補に対してそれぞれ予め定められた複数の到着許容時間とを取得し、
前記制御部は、
前記複数の目的地候補及び前記複数の到着許容時間に基づいて、前記複数の目的地候補の中から前記目的地と第２経由地とを選択し、前記地図情報、前記出発地、前記目的地、前記属性、及び、前記第２経由地に基づいて、前記出発地から前記目的地までの経路であって、前記第１経由地及び前記第２経由地を経由する経路を探索する、走行支援装置。
【請求項３】
請求項２に記載の走行支援装置であって、
前記制御部は、
前記複数の到着許容時間のうちの前記第２経由地の到着許容時間に基づいて、前記経路における前記第２経由地の経由順を決定する、走行支援装置。
【請求項４】
請求項３に記載の走行支援装置であって、
前記車両が前記第１経由地で滞在すべき滞在時間が前記第１経由地に対して予め定められ、
前記制御部は、
前記経路と、前記滞在時間と、前記複数の到着許容時間のうちの前記目的地の到着許容時間とに基づいて、前記車両が前記出発地及び前記第２経由地を出発すべき出発時間を求める、走行支援装置。
【請求項５】
請求項１に記載の走行支援装置であって、
前記取得部は、
前記車両の複数の利用者の前記属性である複数の属性を取得し、
前記制御部は、
前記地図情報、前記出発地、前記目的地、及び、前記複数の属性に基づいて、前記出発地から前記目的地までの経路であって、前記複数の属性に予め対応付けられた複数の第１経由地を経由する経路を探索する、走行支援装置。
【請求項６】
請求項１に記載の走行支援装置であって、
前記取得部は、
通信によって１以上の携帯端末から前記車両の一の利用者のスケジュール情報を取得し、前記スケジュール情報に基づいて前記目的地及び前記属性を取得する、走行支援装置。
【請求項７】
請求項１に記載の走行支援装置であって、
前記取得部は、
前記車両の搭乗者の画像を取得し、前記画像に基づいて前記属性を取得する、走行支援装置。
【請求項８】
請求項２に記載の走行支援装置であって、
前記取得部は、
通信によって１以上の携帯端末から前記車両の複数の利用者のスケジュール情報を取得し、前記複数の利用者のスケジュール情報に基づいて前記複数の目的地候補、及び、前記複数の到着許容時間を取得する、走行支援装置。
【請求項９】
請求項５に記載の走行支援装置であって、
前記取得部は、
通信によって１以上の携帯端末から前記車両の複数の利用者のスケジュール情報を取得し、前記複数の利用者のスケジュール情報に基づいて前記複数の属性を取得する、走行支援装置。
【請求項１０】
請求項４に記載の走行支援装置であって、
前記取得部は、
前記車両の走行結果を取得し、
前記制御部は、
前記車両の走行結果に基づいて、前記属性に予め対応付けられた前記第１経由地、及び、前記第１経由地に予め定められた前記滞在時間の少なくともいずれか１つを変更する、走行支援装置。
【請求項１１】
請求項２に記載の走行支援装置であって、
前記制御部は、
前記経路の探索結果を表示部に表示させる、走行支援装置。
【請求項１２】
請求項１１に記載の走行支援装置であって、
前記取得部は、
前記目的地候補の変更、前記到着許容時間の変更、及び、前記経路における前記第１経由地の変更、のうちのいずれか１つの変更を取得し、
前記制御部は、
前記いずれか１つの変更に基づいて前記経路を変更する、走行支援装置。
【請求項１３】
地図情報を用いて車両の走行を支援する走行支援方法であって、
前記車両の出発地と、前記車両の目的地と、予め定められた属性のうち前記車両の利用者が属する属性とを取得し、
前記地図情報、前記出発地、前記目的地、及び、前記属性に基づいて、前記出発地から前記目的地までの経路であって、前記属性に予め対応付けられた第１経由地を経由する経路を探索する、走行支援方法。
【発明の詳細な説明】
【技術分野】
【０００１】
本発明は、地図情報を用いて車両の走行を支援する走行支援装置、及び、走行支援方法に関する。
【背景技術】
【０００２】
走行支援装置の一種であるナビゲーション装置について様々な技術が提案されている。例えば特許文献１には、出発地、経由地、目的地及び到着希望時刻に基づいて、車両が出発地から経由地を経由して到着希望時刻までに目的地に到着可能な経路を探索する技術が提案されている。また例えば特許文献２には、ユーザのスケジュール情報を携帯端末から取得し、当該スケジュール情報から出発地、目的地及び到着希望時刻を取得する技術が提案されている。
【先行技術文献】
【特許文献】
【０００３】
【特許文献１】特開２０１０−２１０２６１号公報
【特許文献２】特開２００２−２６７４７８号公報
【発明の概要】
【発明が解決しようとする課題】
【０００４】
一般に、車両の搭乗者に高齢者、障害者または子供などが含まれる場合には、目的地に向かっている途中で、何らかの突発的な原因によって休憩が必要になる可能性が高くなる。しかしながら従来技術では、運転者などのユーザ自らが、事前に経由地とすべき休憩場所を予測して設定したり、事後的に休憩場所を探索する操作を行なったりしなければならず、ユーザにとって手間がかかるという問題があった。【０００５】
そこで、本発明は、上記のような問題点を鑑みてなされたものであり、搭乗者に有用な経由地を経由して目的地に向かう経路を探索可能な技術を提供することを目的とする。
【課題を解決するための手段】
【０００６】
本発明に係る走行支援装置は、地図情報を用いて車両の走行を支援する走行支援装置であって、車両の出発地と、車両の目的地と、予め定められた属性のうち車両の利用者が属する属性とを取得する取得部と、地図情報、出発地、目的地、及び、属性に基づいて、出発地から目的地までの経路であって、属性に予め対応付けられた第１経由地を経由する経路を探索する制御部とを備える。
【発明の効果】
【０００７】
本発明によれば、地図情報、出発地、目的地、及び、属性に基づいて、出発地から目的地までの経路であって、属性に予め対応付けられた第１経由地を経由する経路を探索する。このような構成によれば、車両の利用者に適切な経由地を経由して目的地に向かう経路を探索することができる。【０００８】
本発明の目的、特徴、態様及び利点は、以下の詳細な説明と添付図面とによって、より明白となる。
【図面の簡単な説明】
【０００９】
【図１】実施の形態１に係る走行支援装置の構成を示すブロック図である。
【図２】実施の形態１に係る推奨情報に規定された対応関係を示す図である。
【図３】実施の形態２に係る走行支援装置の構成を示すブロック図である。
【図４】実施の形態２に係る推奨情報に規定された対応関係を示す図である。
【図５】実施の形態２に係る経由地算出部の選択処理の一例を説明するための図である。
【図６】実施の形態２に係る経路算出部によって探索される経路の一例を示す図である。
【図７】実施の形態２に係る出発時間算出部の算出処理の一例を説明するための図である。
【図８】実施の形態２に係る走行支援装置によって探索される経路の一例を示す図である。
【図９】実施の形態２に係る走行支援装置の動作を示すフローチャートである。
【図１０】その他の変形例に係るナビゲーション装置のハードウェア構成を示すブロック図である。
【図１１】その他の変形例に係るナビゲーション装置のハードウェア構成を示すブロック図である。
【図１２】その他の変形例に係るサーバの構成を示すブロック図である。
【図１３】その他の変形例に係る通信端末の構成を示すブロック図である。
【発明を実施するための形態】
【００１０】
＜実施の形態１＞
本発明の実施の形態１に係る走行支援装置は、地図情報を用いて車両の走行を支援する装置であり、例えばナビゲーション装置などに適用される。以下では、本実施の形態１に係る走行支援装置は、車両に搭載されているものとし、当該走行支援装置が搭載され、着目の対象となる車両を「自車両」と記して説明する。また以下では、自車両の利用者は自車両の搭乗者であるものとし、自車両の搭乗者を単に「搭乗者」と記して説明する。
【００１１】
図１は、本実施の形態１に係る走行支援装置１の構成を示すブロック図である。図１の走行支援装置１は、取得部１１と制御部１２とを備える。
【００１２】
取得部１１は、自車両の出発地と、自車両の目的地と、予め定められた属性のうち搭乗者が属する属性とを取得する。なお、予め定められた属性には、例えば、「子供」、「高齢者」、「障害者」、「一般」及び「団体」などが用いられる。このうち「団体」は、自車両がマイクロバスなどである場合に用いられることが想定される。
【００１３】
取得部１１には、例えば、自車両の現在位置を検出する位置検出装置と、搭乗者からの操作を受け付ける入力装置との少なくともいずれか１つが用いられる。位置検出装置には、例えばＧＰＳ（Global Positioning System）受信装置などのＧＮＳＳ（Global Navigation Satellite System）受信装置、及び、ジャイロセンサなどの各種センサなどが用いられる。入力装置には、例えば搭乗者からの操作を手動で受け付ける操作キーもしくはタッチパネル、または、搭乗者からの操作を音声で受け付ける音声認識装置などが用いられる。
【００１４】
例えば取得部１１に入力装置が用いられる場合、取得部１１は、搭乗者の操作によって指定された位置を、自車両の出発地及び目的地として選択的に取得し、搭乗者の操作によって指定された属性を、搭乗者の属性として取得する。取得部１１に位置検出装置が用いられる場合には、取得部１１は、自車両の現在位置を自車両の出発地として取得してもよい。
【００１５】
なお、取得部１１は、位置検出装置及び入力装置に限ったものではなく、後述するように、例えば有線通信または無線通信が可能な通信装置、及び、搭乗者の画像を取得するカメラなどの撮像装置の少なくともいずれか１つであってもよいし、各種インタフェースであってもよいし、ソフトウェアによって実現されてもよい。
【００１６】
制御部１２は、地図情報と、取得部１１で取得された出発地、目的地及び属性とに基づいて経路を探索する。以下、制御部１２は、走行支援装置１の図示しない記憶装置に予め記憶された地図情報を経路の探索に用いるものとして説明する。ただしこれに限ったものではなく、例えば取得部１１が、通信によって走行支援装置１外部から地図情報を取得可能に構成されている場合には、制御部１２は、取得部１１が走行支援装置１外部から取得した地図情報を用いてもよい。なお、地図情報には、例えば、地図を表示するための情報、地図から目的地を検索するための検索情報、地図から経路を探索するためのリンク情報、道路の種別などが含まれる。
【００１７】
ここで本実施の形態１に係る制御部１２は、上述した地図情報と、取得部１１で取得された出発地、目的地及び属性とに基づいて、出発地から目的地までの経路であって、属性に予め対応付けられた第１経由地を経由する経路を探索する。以下の説明では、第１経由地を「推奨経由地」と記す。また、以下の説明では制御部１２が探索すべき経路を「探索経路」と記すこともある。
【００１８】
本実施の形態１に係る走行支援装置１には、属性と推奨経由地との対応関係が規定された推奨情報が設定されている。図２は、本実施の形態１に係る推奨情報に規定された対応関係を示す図である。図２に示すように推奨情報には、属性に対して、当該属性に属する搭乗者が突発的に立ち寄ることが想定される経由地が推奨経由地として予め対応付けられている。
【００１９】
次に、図２の推奨情報が設定されている場合の制御部１２の動作例について説明する。例えば、取得部１１で取得された属性が「子供」である場合、制御部１２は、推奨情報から「子供」に対応付けられたトイレ（洋式）、子供向け広場及び子供向けレストランを、推奨経由地として取得する。そして、制御部１２は、出発地から目的地まで向かう経路のうち、取得されたトイレ（洋式）、子供向け広場及び子供向けレストランの少なくともいずれか１つを経由する経路を探索する。
【００２０】
＜実施の形態１のまとめ＞
以上のような本実施の形態１に係る走行支援装置１によれば、搭乗者の属性を取得し、取得された属性に予め対応付けられた推奨経由地を経由する経路を探索する。このような構成によれば、搭乗者に適切な経由地を経由して目的地に向かう経路を探索することができる。よって、搭乗者の手間を低減することができる。
【００２１】
＜実施の形態２＞
本発明の実施の形態２では、自車両に複数の搭乗者が搭乗しているものとして説明する。図３は、本実施の形態２に係る走行支援装置１の構成を示すブロック図である。
【００２２】
図３の走行支援装置１は、複数の搭乗者の画像を取得するカメラ５１と、図示しないグラフィックまたはビデオに関するインタフェースを介して接続されている。これにより、走行支援装置１は、カメラ５１で取得された画像を取得することが可能となっている。
【００２３】
また、走行支援装置１は、表示部である表示装置５２と図示しないグラフィックまたはビデオに関するインタフェースを介して接続されている。これにより、走行支援装置１は、表示装置５２に各種情報を表示することが可能となっている。
【００２４】
さらに、走行支援装置１は、複数の搭乗者がそれぞれ有する複数の携帯端末５３と通信可能となっており、各種情報を複数の携帯端末５３と送受信することが可能となっている。
【００２５】
図３に示すように、携帯端末５３は、入力部５３ａと、記憶部５３ｂと、通信部５３ｃと、これらを統括的に制御する制御部５３ｄとを備える。
【００２６】
記憶部５３ｂには、搭乗者のスケジュール情報が予め記憶されている。このスケジュール情報には、搭乗者の属性と、搭乗者の目的地の候補となる目的地候補と、目的地候補に対して予め定められた到着許容時間とが含まれる。ここで、目的地候補とは、探索経路の最終地点である目的地となることもあれば、自車両が目的地の前に経由する経由地となることもある地点である。到着許容時間とは、それまでに自車両が目的地候補に到着すればよい時間である。本実施の形態２では、複数の携帯端末５３のそれぞれに、一のスケジュール情報が記憶されているものとして説明する。
【００２７】
制御部５３ｄは、入力部５３ａで受け付けた操作などに基づいて、記憶部５３ｂに記憶されているスケジュール情報を変更する。また、制御部５３ｄは、記憶部５３ｂに記憶されているスケジュール情報を通信部５３ｃから走行支援装置１に送信したり、入力部５３ａで受け付けた搭乗者からの操作を通信部５３ｃから走行支援装置１に送信したりする。
【００２８】
次に、図３の走行支援装置１内部の構成について説明する。走行支援装置１は、出発地取得部２１と、通信部２２と、画像取得部２３と、目的地取得部２４と、属性取得部２５と、走行結果取得部２６と、変更取得部２７と、推奨情報記憶部２８と、経由地算出部２９と、経路算出部３０と、出発時間算出部３１と、学習部３２と、表示制御部３３と、これらを統括的に制御する統括制御部３４とを備える。なお、出発地取得部２１、通信部２２、画像取得部２３、目的地取得部２４、属性取得部２５、走行結果取得部２６、及び、変更取得部２７は、実施の形態１の図１の取得部１１の概念に含まれる。経由地算出部２９、経路算出部３０、出発時間算出部３１、学習部３２、表示制御部３３、及び、統括制御部３４は、実施の形態１の図１の制御部１２の概念に含まれる。
【００２９】
出発地取得部２１は、実施の形態１で説明した取得部１１と同様に出発地を取得する。
【００３０】
通信部２２は、スケジュール情報取得機能を有しており、複数の携帯端末５３と通信を行うことによって、複数の携帯端末５３から複数の搭乗者のスケジュール情報をそれぞれ受信する。
【００３１】
画像取得部２３は、カメラ５１から複数の搭乗者の画像を取得する。
【００３２】
目的地取得部２４は、通信部２２で受信された複数の搭乗者のスケジュール情報から、複数の目的地候補と、複数の目的地候補に対してそれぞれ予め定められた複数の到着許容時間とをそれぞれ取得する。
【００３３】
属性取得部２５は、通信部２２で受信された複数の搭乗者のスケジュール情報から、複数の搭乗者の属性である複数の属性を取得する。
【００３４】
また本実施の形態２では、属性取得部２５は、画像取得部２３で取得された搭乗者の画像に基づいて搭乗者の属性を判断する属性判断機能を有する。そして、属性取得部２５は、通信部２２で受信された複数の搭乗者のスケジュール情報に複数の属性が含まれていない場合に、画像取得部２３で取得された複数の搭乗者の画像に基づいて複数の属性を判断する。
【００３５】
なお、属性取得部２５は、複数の搭乗者の画像から複数の属性を取得することができない場合には、例えば目的地候補と属性とが予め対応付けられたテーブルから、通信部２２で受信された複数の搭乗者のスケジュール情報の目的地候補に対応する複数の属性を取得するように構成されてもよい。このような構成によれば、通信部２２で受信された複数の搭乗者のスケジュール情報の目的地候補が「介護施設」を含む場合に、属性取得部２５は「高齢者」を含む複数の属性を取得することができる。
【００３６】
走行結果取得部２６は、例えば、自車両の現在位置を随時蓄積することによって自車両の走行結果を取得する。
【００３７】
推奨情報記憶部２８は、実施の形態１で説明した推奨情報（図２）と同様の推奨情報を記憶している。図４は、本実施の形態２に係る推奨情報記憶部２８の推奨情報に規定された対応関係を示す図である。本実施の形態２に係る推奨情報では、各属性に対して推奨経由地が予め定められているだけでなく、各推奨経由地に対して、自車両が推奨経由地で滞在すべき滞在時間である推奨滞在時間が予め定められている。
【００３８】
図３の経由地算出部２９は、実施の形態１で説明した制御部１２と同様に、属性取得部２５で取得された複数の属性に基づいて、図４の推奨情報から複数の属性に対応付けられた複数の推奨経由地を取得する。
【００３９】
また、本実施の形態２に係る経由地算出部２９は、目的地取得部２４で取得された複数の目的地候補の中から目的地と第２経由地とを選択する。以下、第２経由地を「選択経由地」と記して説明する。
【００４０】
図５は、本実施の形態２に係る経由地算出部２９の選択処理の一例を説明するための図である。
【００４１】
図５の例では、ステップＳ１にて目的地取得部２４が、目的地候補Ｄ１及びその到着許容時間「９：００」と、目的地候補Ｄ２及びその到着許容時間「１１：００」と、目的地候補Ｄ３及びその到着許容時間「１４：００」とを取得している。
【００４２】
ステップＳ２にて、経由地算出部２９は、目的地取得部２４で取得された複数の目的地候補及び複数の到着許容時間に基づいて、複数の目的地候補の中から目的地と選択経由地とを選択する。本実施の形態２に係る経由地算出部２９は、このステップＳ２で、複数の到着許容時間のうち最も遅い時間に対応する目的地候補を目的地として選択し、当該目的地以外の目的地候補を選択経由地として選択する。図５の例の場合、経由地算出部２９は、到着許容時間が最も遅い目的地候補Ｄ３を目的地Ｄ３として選択し、それ以外の目的地候補Ｄ１，Ｄ２を選択経由地Ｄ１，Ｄ２として選択する。
【００４３】
ステップＳ３にて、経由地算出部２９は、複数の到着許容時間のうちの選択経由地の到着許容時間に基づいて、探索経路における選択経由地の経由順を決定する。本実施の形態２に係る経由地算出部２９は、このステップＳ３で、選択経由地の到着許容時間が遅いほど選択経由地が後で経由されるように選択経由地の経由順を決定する。図５の例の場合、経由地算出部２９は、選択経由地Ｄ１が経由された後に、それよりも到着許容時間が遅い選択経由地Ｄ２が経由されるように選択経由地Ｄ１，Ｄ２の経由順を決定する。
【００４４】
図３の経路算出部３０は、地図情報と、出発地取得部２１で取得された出発地と、経由地算出部２９で取得された推奨経由地と、経由地算出部２９で選択された目的地及び選択経由地とに基づいて、出発地から目的地までの経路であって、推奨経由地及び選択経由地を経由する経路を探索する。
【００４５】
ここで上述したように、本実施の形態２に係る経由地算出部２９は、属性取得部２５で取得された複数の属性に基づいて、図４の推奨情報から複数の属性に対応付けられた複数の推奨経由地を取得する。このため、経路算出部３０は、出発地取得部２１で取得された出発地と、経由地算出部２９で取得された複数の推奨経由地と、経由地算出部２９で選択された目的地及び選択経由地とに基づいて、出発地から目的地までの経路であって、選択経由地及び複数の推奨経由地を経由する経路を探索する。
【００４６】
また本実施の形態２では、経路算出部３０は、上述のように経由する経路のうち、経由地算出部２９で決定された経由順で選択経由地を経由する経路を探索する。また、経由地算出部２９が複数の選択経由地を取得した場合には、経路算出部３０は、上述のように経由する経路のうち、推奨経由地及び複数の選択経由地を経由する経路を探索する。
【００４７】
図６は、経由地算出部２９が図５の選択処理を行った場合に、経路算出部３０によって探索される経路の一例を示す図である。図６には、出発地から目的地Ｄ３までの間に、選択経由地Ｄ１，Ｄ２をこの順で経由する経路が示されている。そして、図６の経路は、出発地と選択経由地Ｄ１との間に、トイレ休憩地点Ｒ１を推奨経由地として含んでいる。また、図６の経路は、選択経由地Ｄ１と選択経由地Ｄ２との間に、広場Ｒ２を推奨経由地として含み、選択経由地Ｄ２と目的地Ｄ３との間に、トイレ休憩地点Ｒ３及びレストランＲ４を推奨経由地として含んでいる。
【００４８】
以上のことを換言すれば、経由地算出部２９は、複数の目的地候補及び複数の到着許容時間に基づいて、複数の目的地候補の中から目的地と選択経由地とを選択する。そして、経由地算出部２９及び経路算出部３０は、地図情報、出発地、目的地、複数の属性、及び、選択経由地に基づいて、出発地から目的地までの経路であって、複数の属性に対応する複数の推奨経由地を経由し、かつ、選択経由地を経由する経路を探索する。
【００４９】
出発時間算出部３１は、経路算出部３０で探索された経路と、推奨滞在時間と、複数の到着許容時間のうちの目的地の到着許容時間とに基づいて、自車両が出発地及び選択経由地を出発すべき出発時間を求める。
【００５０】
図７は、本実施の形態２に係る出発時間算出部３１の出発時間の算出処理の一例を説明するための図である。なおここでは、経路算出部３０によって図６の経路が探索された場合を例にして説明する。
【００５１】
出発時間算出部３１は、経路算出部３０で探索された経路上における選択経由地Ｄ２と目的地Ｄ３との間の第１区間の距離を求める。そして、出発時間算出部３１は、第１区間を自車両が走行するのにかかる走行時間を算出する。例えば、出発時間算出部３１は、自車両の過去の走行履歴に基づいて第１区間における自車両の平均速度を算出し、第１区間の距離を平均速度で除算した値を、走行時間として算出する。
【００５２】
次に、出発時間算出部３１は、算出した走行時間と、第１区間における全ての推奨経由地（トイレ休憩地点Ｒ３及びレストランＲ４）の推奨滞在時間とを合計した合計時間を算出し、目的地Ｄ３の到着許容時間（１４：００）から当該合計時間だけ遡った時間（１０：３０）を、選択経由地Ｄ２の出発時間として算出する。それから、出発時間算出部３１は、選択経由地Ｄ２の出発時間から予め定められた時間（ここでは３０分）遡った時間（１０：００）を、選択経由地Ｄ２の予想到着時間として算出する。
【００５３】
これと同様にして、出発時間算出部３１は、経路算出部３０で探索された経路上における選択経由地Ｄ１と選択経由地Ｄ２との間の第２区間の距離を求め、第２区間を自車両が走行するのにかかる走行時間を算出する。そして、出発時間算出部３１は、算出した走行時間と、第２区間における全ての推奨経由地（広場Ｒ２）の推奨滞在時間とを合計した合計時間を算出し、選択経由地Ｄ２の予想到着時間（１０：００）から合計時間だけ遡った時間（８：３０）を、選択経由地Ｄ１の出発時間として算出する。以上と同様にして、出発時間算出部３１は、出発地の出発時間（７：３０）を算出する。
【００５４】
以上のように出発時間算出部３１は、目的地側から出発地側に遡って、自車両が出発地及び選択経由地を出発すべき出発時間を求める。
【００５５】
図８は、本実施の形態２に係る走行支援装置１の動作結果の一例、具体的には経路算出部３０及び出発時間算出部３１の動作結果の一例を説明するための図である。図８には、図５〜図７の例に対応する動作結果が実線の矢印で示されている。また、図８には、関連技術の動作結果が破線の矢印で示されている。
【００５６】
関連技術に係る走行支援装置は、出発地Ｓを出発して、距離が最も短い順、つまり目的地候補Ｄ３、目的地候補Ｄ１、目的地候補Ｄ２の順に進む破線矢印に沿った経路を探索する。このため、その経路に沿って車両が走行した場合には、到着許容時間に間に合わなかったり、途中で推奨経由地などの経由地を経由する時間がなかったりすることがあった。
【００５７】
これに対して本実施の形態２に係る走行支援装置１は、出発地Ｓを出発して、到着許容時間が最も短い順、つまり目的地候補Ｄ１、目的地候補Ｄ２、目的地候補Ｄ３の順に進む実線矢印に沿った経路を探索する。このため、その経路に沿って車両が走行した場合には、到着許容時間に間に合わなかったり、途中で推奨経由地などの経由地を経由する時間がなかったりする事態を抑制することができる。
【００５８】
図３の学習部３２は、走行結果取得部２６で取得された走行結果に基づいて、図４の推奨情報を変更する学習を行う。ここでは、学習部３２は、走行結果取得部２６で取得された走行結果に基づいて、属性に予め対応付けられた推奨経由地、及び、推奨経由地に予め定められた推奨滞在時間の少なくともいずれか１つを変更する学習を行う。これにより、自車両が過去に経由して滞在した頻度が高い経由地が、図４の推奨情報の推奨経由地として用いられ、自車両が当該経由地に過去に滞在した時間と同程度の時間が、図４の推奨情報の推奨滞在時間として用いられる。なお、学習部３２の学習には、例えば、ディープラーニングや機械学習などが用いられる。
【００５９】
図３の表示制御部３３は、経路の探索結果を表示装置５２に適宜表示させる。なお、経路の探索結果には、例えば、経路算出部３０で探索された経路、及び、出発時間算出部３１で算出された出発時間などが含まれる。また、表示制御部３３は、経路の探索結果を通信部２２から携帯端末５３に適宜送信し、経路の探索結果を携帯端末５３の図示しない表示装置に適宜表示させる。
【００６０】
ところで、上述した携帯端末５３は、目的地候補の変更、到着許容時間の変更、及び、経路算出部３０で探索された経路における推奨経由地の変更、のうちのいずれか１つを変更するための操作をユーザから入力部５３ａで受け付けた場合に、当該操作を通信部５３ｃから走行支援装置１に送信する。経路算出部３０で探索された経路における推奨経由地の変更には、推奨経由地が設けられる区間の変更、及び、推奨経由地の数の変更などが含まれる。
【００６１】
走行支援装置１の通信部２２は、携帯端末５３から送信された操作を受信する。
【００６２】
変更取得部２７は、通信部２２で受信した変更、つまり、目的地候補の変更、到着許容時間の変更、及び、経路における推奨経由地の変更、のうちのいずれか１つの変更を取得する。ただしこれに限ったものではなく、走行支援装置１が、上述した図示しない入力装置を備える場合などには、変更取得部２７は、入力装置から上述の変更を取得してもよい。
【００６３】
経路算出部３０は、変更取得部２７で取得されたいずれか１つの変更に基づいて経路を変更する。これにより本実施の形態２に係る走行支援装置１では、経路探索のフィードバックを行うことが可能となっている。
【００６４】
＜動作＞
図９は、本実施の形態２に係る走行支援装置１の動作を示すフローチャートである。なお図示しないが、走行結果取得部２６の取得及び学習部３２の学習は図９の動作と並行して随時行われる。
【００６５】
まずステップＳ１１にて、統括制御部３４は、通信部２２にてスケジュール情報が受信されたか否かを判定する。受信されたと判定した場合には処理がステップＳ１２に進み、受信されなかったと判定した場合にはステップＳ１１の処理が再度行われる。
【００６６】
ステップＳ１２にて、統括制御部３４は、受信されたスケジュール情報から、目的地取得部２４にて複数の目的地候補及び複数の到着許容時間が取得されたか否かを判定する。取得されたと判定した場合には処理がステップＳ１３に進み、取得されなかったと判定した場合には処理がステップＳ１１に戻る。
【００６７】
ステップＳ１３にて、統括制御部３４は、受信されたスケジュール情報から、属性取得部２５にて複数の属性が取得されたか否かを判定する。取得されたと判定した場合には処理がステップＳ１６に進み、取得されなかったと判定した場合には処理がステップＳ１４に進む。
【００６８】
ステップＳ１４にて、画像取得部２３は複数の搭乗者の画像を取得する。
【００６９】
ステップＳ１５にて、属性取得部２５は、画像取得部２３で取得された複数の搭乗者の画像に基づいて複数の搭乗者の属性を判断して取得する。その後、処理がステップＳ１６に進む。
【００７０】
ステップＳ１６にて、経由地算出部２９は、属性取得部２５で取得された複数の属性に基づいて、複数の属性に対応付けられた複数の推奨経由地を図４の推奨情報から取得する。また、経由地算出部２９は、目的地取得部２４で取得された複数の目的地候補の中から目的地と選択経由地とを選択する。なお、経由地算出部２９は、複数の選択経由地を選択した場合には、複数の選択経由地の経由順を決定する。
【００７１】
ステップＳ１７にて、出発地取得部２１は出発地を取得する。
【００７２】
ステップＳ１８にて、経路算出部３０は、出発地取得部２１で取得された出発地と、経由地算出部２９で取得された複数の推奨経由地と、経由地算出部２９で選択された目的地及び選択経由地とに基づいて、出発地から目的地までの経路であって、選択経由地及び複数の推奨経由地を経由する経路を探索する。
【００７３】
ステップＳ１９にて、出発時間算出部３１は、経路算出部３０で探索された経路などに基づいて、自車両が出発地及び選択経由地を出発すべき出発時間を求める。
【００７４】
ステップＳ２０にて、表示制御部３３は、経路の探索結果を、表示装置５２に表示させる。また、表示制御部３３は、経路の探索結果を通信部２２から携帯端末５３に送信し、経路の探索結果を携帯端末５３の図示しない表示装置に表示させる。
【００７５】
ステップＳ２１にて、統括制御部３４は、変更取得部２７にて目的地候補の変更、到着許容時間の変更、及び、経路における推奨経由地の変更、のうちのいずれか１つの変更が取得されたか否かを判定する。取得されたと判定した場合には処理がステップＳ２２に進み、取得されなかったと判定した場合には図９の処理が終了する。
【００７６】
ステップＳ２２にて、経路算出部３０は、変更取得部２７で取得されたいずれか１つの変更に基づいて経路を変更する。そして処理がステップＳ１９に戻る。
【００７７】
＜実施の形態２のまとめ＞
以上のような本実施の形態２に係る走行支援装置１によれば、複数の目的地候補及び複数の到着許容時間に基づいて、複数の目的地候補の中から目的地と選択経由地とを選択する。したがって、到着許容時間に間に合わなかったり、途中で推奨経由地などの経由地を経由する時間がなかったりする事態を抑制することができる。
【００７８】
また本実施の形態２によれば、探索された経路と、滞在時間と、複数の到着許容時間のうちの目的地の到着許容時間とに基づいて、自車両が出発地及び選択経由地を出発すべき出発時間を求める。このような構成によれば、搭乗者は、各目的地候補の到着許容時間に間に合う出発時間を知ることができる。
【００７９】
加えて本実施の形態２によれば、地図情報、出発地、目的地、及び、複数の属性に基づいて、出発地から目的地までの経路であって、複数の属性に予め対応付けられた複数の推奨経由地を経由する経路を探索する。このような構成によれば、複数の搭乗者に有用な経由地を経由して目的地に向かう経路を探索することができる。
【００８０】
さらに本実施の形態２によれば、複数の搭乗者のスケジュール情報を取得し、複数の搭乗者のスケジュール情報に基づいて複数の目的地候補、複数の到着許容時間、及び、複数の属性を取得する。このような構成によれば、搭乗者が、複数の目的地候補、複数の到着許容時間、及び、複数の属性を入力する操作を行う必要がなくなるので、搭乗者の手間を低減することができる。
【００８１】
また本実施の形態２によれば、自車両の複数の搭乗者の画像を取得し、当該画像に基づいて複数の搭乗者の属性を取得する。このような構成によれば、スケジュール情報から、複数の属性を取得することができない場合でも、画像から複数の属性を取得することができる。
【００８２】
加えて本実施の形態２によれば、自車両の走行結果に基づいて、属性に予め対応付けられた推奨経由地、及び、推奨経由地に予め定められた滞在時間の少なくともいずれか１つを変更する。このような学習により、搭乗者に適した経路を探索することができる。
【００８３】
さらに本実施の形態２によれば、経路の探索結果を表示装置５２に表示させ、目的地候補の変更、到着許容時間の変更、及び、経路における推奨経由地の変更、のうちのいずれか１つの変更に基づいて経路を変更する。このような構成によれば、経路探索のフィードバックを行うことができ、搭乗者が意図する経路を探索することができる。
【００８４】
＜変形例＞
実施の形態２では、走行支援装置１は、複数の搭乗者がそれぞれ有する複数の携帯端末５３と通信可能であり、複数の携帯端末５３のそれぞれに一のスケジュール情報が記憶されていた。しかしこれに限ったものではなく、例えば、走行支援装置１は、一の搭乗者が有する一の携帯端末５３と通信可能であり、一の携帯端末５３に複数の搭乗者のスケジュール情報が記憶されていてもよい。具体的には、親の携帯端末５３に、親という属性とともに親のスケジュール情報が記憶され、かつ、子供という属性とともに子供のスケジュール情報が記憶されてもよい。
【００８５】
またそのバリエーションとして、走行支援装置１は、複数の搭乗者がそれぞれ有する複数の携帯端末５３と通信可能であり、複数の携帯端末５３のそれぞれに複数のスケジュール情報が記憶されてもよい。または、走行支援装置１は、一の搭乗者が有する一の携帯端末５３と通信可能であり、一の携帯端末５３に一の搭乗者のスケジュール情報が記憶されていてもよい。そして、属性取得部２５は、通信によって１以上の携帯端末５３から自車両の搭乗者のスケジュール情報を取得し、当該スケジュール情報に基づいて目的地及び属性を取得してもよい。また、属性取得部２５は、画像取得部２３で取得された搭乗者の画像に基づいて、当該搭乗者の属性を取得してもよい。
【００８６】
さらに、以上では自車両の利用者は搭乗者であるものとして説明したが、自車両の利用者は搭乗者でなくてもよい。例えば、通信部２２は、利用者が自車両に搭乗する前に、利用者が有する携帯端末５３と通信及び認証を行い、認証結果が適切であった携帯端末５３からスケジュール情報を受信してもよい。そして、利用者が自車両に搭乗する前に、目的地取得部２４が上述のスケジュール情報から目的地候補及び到着許容時間を取得し、属性取得部２５が上述のスケジュール情報から属性を取得してもよい。
【００８７】
＜その他の変形例＞
上述した走行支援装置１における図１の取得部１１及び制御部１２を、以下「取得部１１等」と記す。取得部１１等は、図１０に示す処理回路７１により実現される。すなわち、処理回路７１は、車両の出発地と、車両の目的地と、予め定められた属性のうち車両の利用者が属する属性とを取得する取得部１１と、地図情報、出発地、目的地、及び、属性に基づいて、出発地から目的地までの経路であって、属性に予め対応付けられた第１経由地を経由する経路を探索する制御部１２と、を備える。処理回路７１には、専用のハードウェアが適用されてもよいし、メモリに格納されるプログラムを実行するプロセッサが適用されてもよい。プロセッサには、例えば、中央処理装置、処理装置、演算装置、マイクロプロセッサ、マイクロコンピュータ、ＤＳＰ（Digital Signal Processor）などが該当する。
【００８８】
処理回路７１が専用のハードウェアである場合、処理回路７１は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、またはこれらを組み合わせたものが該当する。取得部１１等の各部の機能それぞれは、処理回路を分散させた回路で実現されてもよいし、各部の機能をまとめて一つの処理回路で実現されてもよい。
【００８９】
処理回路７１がプロセッサである場合、取得部１１等の機能は、ソフトウェア等との組み合わせにより実現される。なお、ソフトウェア等には、例えば、ソフトウェア、ファームウェア、または、ソフトウェア及びファームウェアが該当する。ソフトウェア等はプログラムとして記述され、メモリ７３に格納される。図１１に示すように、処理回路７１に適用されるプロセッサ７２は、メモリ７３に記憶されたプログラムを読み出して実行することにより、各部の機能を実現する。すなわち、走行支援装置１は、処理回路７１により実行されるときに、車両の出発地と、車両の目的地と、予め定められた属性のうち車両の利用者が属する属性とを取得するステップと、地図情報、出発地、目的地、及び、属性に基づいて、出発地から目的地までの経路であって、属性に予め対応付けられた第１経由地を経由する経路を探索するステップと、が結果的に実行されることになるプログラムを格納するためのメモリ７３を備える。換言すれば、このプログラムは、取得部１１等の手順や方法をコンピュータに実行させるものであるともいえる。ここで、メモリ７３は、例えば、ＲＡＭ（Random Access Memory）、ＲＯＭ（Read Only Memory）、フラッシュメモリー、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disc）、そのドライブ装置等、または、今後使用されるあらゆる記憶媒体であってもよい。
【００９０】
以上、取得部１１等の各機能が、ハードウェア及びソフトウェア等のいずれか一方で実現される構成について説明した。しかしこれに限ったものではなく、取得部１１等の一部を専用のハードウェアで実現し、別の一部をソフトウェア等で実現する構成であってもよい。例えば、取得部１１については専用のハードウェアとしての処理回路及びレシーバなどでその機能を実現し、それ以外についてはプロセッサ７２としての処理回路７１がメモリ７３に格納されたプログラムを読み出して実行することによってその機能を実現することが可能である。
【００９１】
以上のように、処理回路７１は、ハードウェア、ソフトウェア等、またはこれらの組み合わせによって、上述の各機能を実現することができる。なお、図３の推奨情報記憶部２８は、メモリ７３から構成されるが、それらはそれぞれ個別のメモリから構成されてもよい。
【００９２】
また、以上で説明した走行支援装置１は、ＰＮＤ（Portable Navigation Device）などのナビゲーション装置と、携帯電話、スマートフォン及びタブレットなどの携帯端末を含む通信端末と、これらにインストールされるアプリケーションの機能と、サーバとを適宜に組み合わせてシステムとして構築される走行支援システムにも適用することができる。この場合、以上で説明した走行支援装置１の各機能あるいは各構成要素は、前記システムを構築する各機器に分散して配置されてもよいし、いずれかの機器に集中して配置されてもよい。その一例として、走行支援装置１は、図３のカメラ５１及び表示装置５２の少なくともいずれか１つをさらに備えてもよい。また例えば、サーバがナビゲーション機能を備え、走行支援装置１が表示機能及び位置検出機能だけを備える構成であってもよい。
【００９３】
図１２は、本変形例に係るサーバ８１の構成を示すブロック図である。図１２のサーバ８１は、通信部８１ａと制御部８１ｂとを備えており、自車両８２のナビゲーション装置８３と無線通信を行うことが可能となっている。
【００９４】
取得部である通信部８１ａは、ナビゲーション装置８３と無線通信を行うことにより、自車両８２の出発地と、自車両８２の目的地と、予め定められた属性のうち自車両８２の利用者が属する属性とを受信する。
【００９５】
制御部８１ｂは、サーバ８１の図示しないプロセッサなどが、サーバ８１の図示しないメモリに記憶されたプログラムを実行することにより、図１の制御部１２と同様の機能を有している。つまり、制御部８１ｂは、地図情報と、通信部８１ａで受信された出発地、目的地、及び、属性とに基づいて、出発地から目的地までの経路であって、属性に予め対応付けられた第１経由地を経由する経路を探索する。そして、通信部８１ａは、制御部８１ｂの探索結果をナビゲーション装置８３に送信する。
【００９６】
このように構成されたサーバ８１によれば、例えば、ナビゲーション装置８３が、サーバ８１との通信機能としか有さなくても、実施の形態１で説明した走行支援装置１と同様の効果を得ることができる。なお、図１２の構成において、図３の学習部３２と同様の学習が同様にサーバ８１において行われてもよい。
【００９７】
図１３は、本変形例に係る通信端末８６の構成を示すブロック図である。図１３の通信端末８６は、通信部８１ａと同様の通信部８６ａと、制御部８１ｂと同様の制御部８６ｂとを備えており、自車両８７のナビゲーション装置８８と無線通信を行うことが可能となっている。なお、通信端末８６には、例えば自車両８７の運転者が携帯する携帯電話機、スマートフォン、及びタブレットなどの携帯端末が適用される。このように構成された通信端末８６によれば、例えば、ナビゲーション装置８８が、通信端末８６との通信機能としか有さなくても、実施の形態１で説明した走行支援装置１と同様の効果を得ることができる。なお、図１３の構成において、図３の学習部３２と同様の学習が同様に通信端末８６において行われてもよい。
【００９８】
なお、本発明は、その発明の範囲内において、各実施の形態及び各変形例を自由に組み合わせたり、各実施の形態及び各変形例を適宜、変形、省略したりすることが可能である。
【００９９】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１００】
１  走行支援装置、１１  取得部、１２  制御部、５２  表示装置、５３  携帯端末。
【図１】
2018185809.tif 000003
【図２】
2018185809.tif 000004
【図３】
2018185809.tif 000005
【図４】
2018185809.tif 000006
【図５】
2018185809.tif 000007
【図６】
2018185809.tif 000008
【図７】
2018185809.tif 000009
【図８】
2018185809.tif 000010
【図９】
2018185809.tif 000011
【図１０】
2018185809.tif 000012
【図１１】
2018185809.tif 000013
【図１２】
2018185809.tif 000014
【図１３】
2018185809.tif 000015
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
地図情報を用いて車両の走行を支援する走行支援装置であって、
前記車両の出発地と、前記車両の目的地と、予め定められた属性のうち前記車両の利用者が属する属性とを取得する取得部と、
前記地図情報、前記出発地、前記目的地、及び、前記属性に基づいて、前記出発地から前記目的地までの経路であって、前記属性に予め対応付けられた第１経由地を経由する経路を探索する制御部と
を備え、
前記取得部は、
それぞれが前記目的地の候補である複数の目的地候補と、前記複数の目的地候補に対してそれぞれ予め定められた複数の到着許容時間とを取得し、
前記制御部は、
前記複数の目的地候補及び前記複数の到着許容時間に基づいて、前記複数の目的地候補の中から前記目的地と第２経由地とを選択し、前記地図情報、前記出発地、前記目的地、前記属性、及び、前記第２経由地に基づいて、前記出発地から前記目的地までの経路であって、前記第１経由地及び前記第２経由地を経由する経路を探索する、走行支援装置。
【請求項２】
請求項１に記載の走行支援装置であって、
前記制御部は、
前記複数の到着許容時間のうちの前記第２経由地の到着許容時間に基づいて、前記経路における前記第２経由地の経由順を決定する、走行支援装置。
【請求項３】
請求項２に記載の走行支援装置であって、
前記車両が前記第１経由地で滞在すべき滞在時間が前記第１経由地に対して予め定められ、
前記制御部は、
前記経路と、前記滞在時間と、前記複数の到着許容時間のうちの前記目的地の到着許容時間とに基づいて、前記車両が前記出発地及び前記第２経由地を出発すべき出発時間を求める、走行支援装置。
【請求項４】
地図情報を用いて車両の走行を支援する走行支援装置であって、
前記車両の出発地と、前記車両の目的地と、予め定められた属性のうち前記車両の利用者が属する属性とを取得する取得部と、
前記地図情報、前記出発地、前記目的地、及び、前記属性に基づいて、前記出発地から前記目的地までの経路であって、前記属性に予め対応付けられた第１経由地を経由する経路を探索する制御部と
を備え、
前記取得部は、
前記車両の複数の利用者の前記属性である複数の属性を取得し、
前記制御部は、
前記地図情報、前記出発地、前記目的地、及び、前記複数の属性に基づいて、前記出発地から前記目的地までの経路であって、前記複数の属性に予め対応付けられた複数の第１経由地を経由する経路を探索する、走行支援装置。
【請求項５】
地図情報を用いて車両の走行を支援する走行支援装置であって、
前記車両の出発地と、前記車両の目的地と、予め定められた属性のうち前記車両の利用者が属する属性とを取得する取得部と、
前記地図情報、前記出発地、前記目的地、及び、前記属性に基づいて、前記出発地から前記目的地までの経路であって、前記属性に予め対応付けられた第１経由地を経由する経路を探索する制御部と
を備え、
前記取得部は、
通信によって１以上の携帯端末から前記車両の一の利用者のスケジュール情報を取得し、前記スケジュール情報に基づいて前記目的地及び前記属性を取得する、走行支援装置。
【請求項６】
地図情報を用いて車両の走行を支援する走行支援装置であって、
前記車両の出発地と、前記車両の目的地と、予め定められた属性のうち前記車両の利用者が属する属性とを取得する取得部と、
前記地図情報、前記出発地、前記目的地、及び、前記属性に基づいて、前記出発地から前記目的地までの経路であって、前記属性に予め対応付けられた第１経由地を経由する経路を探索する制御部と
を備え、
前記取得部は、
前記車両の搭乗者の画像を取得し、前記画像に基づいて前記属性を取得する、走行支援装置。
【請求項７】
請求項１に記載の走行支援装置であって、
前記取得部は、
通信によって１以上の携帯端末から前記車両の複数の利用者のスケジュール情報を取得し、前記複数の利用者のスケジュール情報に基づいて前記複数の目的地候補、及び、前記複数の到着許容時間を取得する、走行支援装置。
【請求項８】
請求項４に記載の走行支援装置であって、
前記取得部は、
通信によって１以上の携帯端末から前記車両の複数の利用者のスケジュール情報を取得し、前記複数の利用者のスケジュール情報に基づいて前記複数の属性を取得する、走行支援装置。
【請求項９】
請求項３に記載の走行支援装置であって、
前記取得部は、
前記車両の走行結果を取得し、
前記制御部は、
前記車両の走行結果に基づいて、前記属性に予め対応付けられた前記第１経由地、及び、前記第１経由地に予め定められた前記滞在時間の少なくともいずれか１つを変更する、走行支援装置。
【請求項１０】
請求項１に記載の走行支援装置であって、
前記制御部は、
前記経路の探索結果を表示部に表示させる、走行支援装置。
【請求項１１】
請求項１０に記載の走行支援装置であって、
前記取得部は、
前記目的地候補の変更、前記到着許容時間の変更、及び、前記経路における前記第１経由地の変更、のうちのいずれか１つの変更を取得し、
前記制御部は、
前記いずれか１つの変更に基づいて前記経路を変更する、走行支援装置。
【請求項１２】
地図情報を用いて車両の走行を支援する走行支援方法であって、
前記車両の出発地と、前記車両の目的地と、予め定められた属性のうち前記車両の利用者が属する属性とを取得し、
前記地図情報、前記出発地、前記目的地、及び、前記属性に基づいて、前記出発地から前記目的地までの経路であって、前記属性に予め対応付けられた第１経由地を経由する経路を探索し、
それぞれが前記目的地の候補である複数の目的地候補と、前記複数の目的地候補に対してそれぞれ予め定められた複数の到着許容時間とを取得し、
前記複数の目的地候補及び前記複数の到着許容時間に基づいて、前記複数の目的地候補の中から前記目的地と第２経由地とを選択し、前記地図情報、前記出発地、前記目的地、前記属性、及び、前記第２経由地に基づいて、前記出発地から前記目的地までの経路であって、前記第１経由地及び前記第２経由地を経由する経路を探索する、走行支援方法。
【手続補正２】
【補正対象書類名】明細書
【補正対象項目名】０００６
【補正方法】変更
【補正の内容】
【０００６】
本発明に係る走行支援装置は、地図情報を用いて車両の走行を支援する走行支援装置であって、車両の出発地と、車両の目的地と、予め定められた属性のうち車両の利用者が属する属性とを取得する取得部と、地図情報、出発地、目的地、及び、属性に基づいて、出発地から目的地までの経路であって、属性に予め対応付けられた第１経由地を経由する経路を探索する制御部とを備える。取得部は、それぞれが目的地の候補である複数の目的地候補と、複数の目的地候補に対してそれぞれ予め定められた複数の到着許容時間とを取得し、制御部は、複数の目的地候補及び複数の到着許容時間に基づいて、複数の目的地候補の中から目的地と第２経由地とを選択し、地図情報、出発地、目的地、属性、及び、第２経由地に基づいて、出発地から目的地までの経路であって、第１経由地及び第２経由地を経由する経路を探索する。
【国際調査報告】
2018185809.tif 000016
2018185809.tif 000017
2018185809.tif 000018
2018185809.tif 000019